(57)【特許請求の範囲】
【請求項１】
一方の面は部品実装用の配線パターンが施された実装面とされ、他方の面はほぼ全域が接地面とされた両面プリント基板と、
上記実装面に実装される所定の部品と、
上記所定の部品が実装された実装面の高周波部分を囲むように上記実装面に設けられた枠状のシールド板と、
上記実装面に実装され、上記チューナをメイン基板に装着するためのコネクタピンと
を備え、
上記コネクタピンの絶縁基部は、上記枠状のシールド板に設けられた折り返し部により上記実装面に押さえつけられる
ようにしたチューナ。
【請求項２】
請求項１に記載のチューナにおいて、
デジタル衛星放送を受信する
ようにしたチューナ。
【請求項３】
少なくとも第１および第２のチューナを有し、
上記第１および第２のチューナは、
一方の面は部品実装用の配線パターンが施された実装面とされ、他方の面はほぼ全域が接地面とされた両面プリント基板と、
上記実装面に実装される所定の部品と、
上記所定の部品が実装された実装面の高周波部分を囲むように上記実装面に設けられた枠状のシールド板と
をそれぞれ有し、
上記第１のチューナの両面プリント基板の外形および上記実装面上の配線パターンと、上記第２のチューナの両面プリント基板の外形および上記実装面上の配線パターンとはほぼ面対称とされ、
上記第１のチューナの両面プリント基板の上記実装面上に実装された上記部品と、上記第２のチューナの両面プリント基板の上記実装面上に実装された上記部品とはほぼ面対称とされ、
上記第１のチューナおよび第２のチューナの両面プリント基板は、上記接地面が互いに対向するように内部に配置される
ようにした受信装置。
【請求項４】
請求項３に記載の受信装置において、
上記第１のチューナおよび第２のチューナの両面プリント基板には、アンテナ入力コネクタがそれぞれ設けられ、
これらアンテナ入力コネクタが後面パネルから突出するように、上記第１および第２のチューナが配置される
ようにした受信装置。
【請求項５】
請求項４に記載の受信装置において、
上記第１および第２のチューナがそれぞれデジタル衛星放送を受信するチューナである
ようにした受信装置。
【請求項６】
請求項５に記載の受信装置において、
上記デジタル衛星放送の番組を蓄積・再生するデバイスを有する
ようにした受信装置。
【発明の詳細な説明】
【０００１】
【発明の属する技術分野】
この発明は、チューナおよびこのチューナを内蔵する受信装置に関する。
【０００２】
【従来の技術】
デジタル衛星放送の受信装置として、例えば図３に示すように、２系統の受信系と、番組の蓄積用のデバイスを内蔵するものが考えられている。すなわち、第１のアンテナ１１によりデジタル衛星放送が受信されるとともに、中間周波信号にダウンコンバートされ、この中間周波信号が受信装置２０の第１のチューナ２１に供給されてベースバンド信号に変換されるとともに、復調および誤り訂正などの処理が行われることにより第１のＴＳ（トランスポートストリーム）が出力され、このＴＳが切り換え回路２３に供給される。
【０００３】
また、第２のアンテナ１２により第２のデジタル衛星放送が受信されるとともに、中間周波信号にダウンコンバートされ、この中間周波信号が第２のチューナ２２に供給され、第１のチューナ２１と同様の処理により第２のＴＳが出力され、このＴＳが切り換え回路２３に供給される。
【０００４】
また、切り換え回路２３には、番組の蓄積用のデバイスとして、例えばＨＤＤ２４が接続され、ユーザの操作にしたがって、チューナ２１から出力されるＴＳと、チューナ２２から出力されるＴＳとのどちらか一方が記録（蓄積）される。
【０００５】
そして、切り換え回路２３からは、ユーザの操作にしたがって、チューナ２１、２２から出力されるＴＳおよびＨＤＤ２４から読み出されるＴＳのうちのどれか１つのＴＳが選択されて取り出され、この取り出されたＴＳがＭＰＥＧデコーダ２５に供給されてデジタルビデオ信号およびデジタルオーディオ信号にデコードされる。
【０００６】
そして、そのデコードされたデジタルビデオ信号が例えばＮＴＳＣエンコーダ回路２６に供給されてＮＴＳＣ方式におけるデジタルビデオ信号にエンコードされ、この信号がＤ／Ａコンバータ回路２７Ｖに供給されてアナログのＮＴＳＣビデオ信号にＤ／Ａ変換されて出力端子２８Ｖに取り出される。また、ＭＰＥＧデコーダ２５によりデコードされたデジタルオーディオ信号がＤ／Ａコンバータ２７Ｓに供給されてもとのアナログのオーディオ信号にＤ／Ａ変換され、出力端子２８Ｓに取り出される。
【０００７】
さらに、システム制御回路２９がマイクロコンピュータを有して構成され、ユーザの操作にしたがってシステム制御回路２９からそれぞれの回路に制御信号が供給される。
【０００８】
そして、チューナ２１、２２は、例えば図４および図５に示すように構成される。すなわち、チューナ２１、２２は同様の構成とされているもので、長方形の両面プリント基板３１の一方の面および他方の面に、ＩＣなどの各種の部品３２、３３が実装される。また、プリント基板３１の高周波部分を囲むように、枠状のシールド板３４、３５が設けられるとともに、これらシールド板３４、３５には、皿状のシールド蓋３６、３７がかぶせられる（図４は、シールド蓋３６を外した状態）。
【０００９】
また、プリント基板３１の一方の短辺および長辺には、アンテナ入力コネクタ３８およびコネクタピン３９がプリント基板３１と平行する向きに設けられる。
【００１０】
そして、以上のように構成されたチューナ２１、２２が、図５にも示すように、互いに平行に、かつ、コネクタ３８、３８が受信装置２０の後面パネル４１から突出するように、メインのプリント基板４２に設けられる。なお、このとき、プリント基板４２には、図示はしないが、２つのコネクタが設けられ、これらコネクタに、チューナ２１、２２のコネクタピン３９、３９が差し込まれ、これによりチューナ２１、２２はプリント基板４２に接続される。
【００１１】
したがって、この受信装置２０によれば、チューナ２１、２２の一方の受信した放送のビデオ信号およびオーディオ信号を端子２８Ｖ、２８Ｓに出力してその放送を視聴することができる。そして、このとき、その視聴中の番組をＨＤＤ２３に録画したり、裏番組をチューナ２１、２２の他方により受信してＨＤＤ２４に録画したりして視聴することができる。また、ＨＤＤ２４に録画した番組を視聴することもできる。
【００１２】
【発明が解決しようとする課題】
ところで、チューナ２１、２２が図４および図５に示すように構成されている場合には、チューナ２１とチューナ２２とが近接していると、チューナ２１からの不要輻射がチューナ２２に飛び込んだり、逆にチューナ２２からの不要輻射がチューナ２１に飛び込んだりすることにより、相互干渉が発生してしまい、結果として、双方のチューナ２１、２２から出力されるＴＳのビットエラー率などが悪化し、性能の低下を招いてしまう。
【００１３】
このため、チューナ２１、２２は、上記のように、それらの高周波部分を、シールド板３４、３５およびシールド蓋３６、３７によりそれぞれ密閉し、チューナ２１とチューナ２２とを近接して配置しても相互干渉が生じないようにしている。
【００１４】
しかし、チューナ２１、２２のそれぞれに２組のシールド板３４、３５およびシールド蓋３６、３７を設けると、シールド部材が増えるので、コストが上昇してしまう。もちろん、チューナ２１とチューナ２２とを十分に離してメイン基板４２に配置しても、相互干渉の影響を低減できるが、その場合には、２つのコネクタ３８、３８の間隔も広くなってしまい、受信装置２０のデザインが現実的でないものになってしまう。
【００１５】
この発明は、複数のチューナを内蔵する受信装置において、不要輻射による性能劣化を低減し、しかも、コスト的な優位性を保つことができるようにするものである。
【００１６】
【課題を解決するための手段】
この発明においては、
一方の面は部品実装用の配線パターンが施された実装面とされ、他方の面はほぼ全域が接地面とされた両面プリント基板と、
上記実装面に実装される所定の部品と、
上記所定の部品が実装された実装面の高周波部分を囲むように上記実装面に設けられた枠状のシールド板と、
上記実装面に実装され、上記チューナをメイン基板に装着するためのコネクタピンと
を備え、
上記コネクタピンの絶縁基部は、上記枠状のシールド板に設けられた折り返し部により上記実装面に押さえつけられる
ようにしたチューナ
とするものである。
したがって、第１および第２の両面プリント基板は、それらの接地面および枠状のシールと板により互いにシールドされ、それぞれからの不要輻射が抑圧される。
【００１７】
【発明の実施の形態】
図１および図２は、この発明の一形態を示すもので、図１はチューナ２１、２がそれぞれ単体のときの平面図、図２はチューナ２１、２２を受信装置２０に実装した状態における一部を断面とする平面図である。
【００１８】
そして、チューナ２１においては、プリント基板２１０が例えば長方形の両面基板とされるとともに、その一方の面２１Ａに、配線パターンが形成されてＩＣなどの各種の部品２１１が実装される。また、プリント基板２１０の他方の面２１Ｂは、そのほぼ全面に導電パターンが形成されるとともに、部品実装面２１Ａの接地パターンに接続され、ほぼ全面が接地電位とされ、したがって、他方の面２１Ｂは接地面とされる。さらに、プリント基板２１０の部品実装面２１Ａには、その高周波部分を囲むように、枠状のシールド板２１２が設けられる。
【００１９】
また、プリント基板２１０の一方の短辺および長辺には、その部品実装面２１Ａに、アンテナ入力コネクタ２１８およびコネクタピン２１９がプリント基板２１０と平行する向きにマウントされる。なお、このとき、コネクタピン２１９は、絶縁基部２１９Ａに植立されるとともに、シールド板２１２の一部２１２Ａが折り返され、その折り返し部２１２Ａにより、コネクタピン２１９の絶縁基部２１９Ａが部品実装面２１Ａに押さえつけられる。
【００２０】
さらに、チューナ２２もチューナ２１と同様に構成されるもので、チューナ２１の部品２１０〜２１９Ａと対応する部品には、符号２１０番台に代えて符号２２０番台を付けて説明は省略する。ただし、この場合、図１Ａと図１Ｂとを比べても分かるように、チューナ２１のプリント基板２１０と、チューナ２２のプリント基板２２０とでは、それらの部品実装面２１Ａ、２２Ａの配線パターンはほぼ面対称とされ、部品実装面２１Ａ、２２Ａに実装される部品２１１、２２１のうちの主要な部品は、ほぼ面対称に配置される。
【００２１】
そして、以上のように構成されたチューナ２１、２２が、図２にも示すように、プリント基板２１１とプリント基板２１２とが互いに平行となるとともに、プリント基板２１１の接地面２１Ｂと、プリント基板２１２の接地面２２Ｂとが対向するように、かつ、コネクタ２１８、２１９が受信装置２０の後面パネル４１から突出するように、メインのプリント基板４２に設けられる。
【００２２】
なお、このとき、プリント基板４２には、図示はしないが、２つのコネクタが設けられ、これらコネクタに、チューナ２１、２２のコネクタピン２１９、２２９が差し込まれ、これによりチューナ２１、２２は、プリント基板４２に接続されている。
【００２３】
このような構成によれば、プリント基板２１１、２１２の接地面２１Ｂ、２２Ｂがシールドとして作用するので、チューナ２１、２２の一方から他方に向けて不要輻射が出ても、接地面２１Ｂ、２２Ｂにより減衰され、チューナ２１とチューナ２２との間の不要輻射による相互干渉は低減される。したがって、チューナ２１とチューナ２２とを近接して配置することができ、このとき、チューナ２１、２２から出力されるＴＳのビットエラー率などが悪化することがなく、性能の低下を招くことがない。
【００２４】
また、図２にも示すように、チューナ２１、２２には、シールド板２１２、２２２を設けるだけでよく、図５と比べると明らかなように、シールド部材を減らすことができる。さらに、チューナ２１とチューナ２２とを十分に離してメイン基板４２に配置する必要がないので、２つのコネクタ２１８、２１９の間隔が必要以上に広くなることがなく、受信装置２０のデザインを損なうこともない。
【００２５】
さらに、チューナ２１に対して、プリント基板２１０、２２０の外形を同じにすることができるとともに、プリント基板２１０、２２０の設計が面対称となるので、基板金型の追加コストや追加設計の工数が発生したりすることがない。また、２つのチューナ２１、２２の間のアイソレーションを容易に確保できるだけでなく、特性の揃った２系統のＴＳ出力を得ることができる。
【００２６】
なお、上述において、チューナ２１、２２が、互いに異なるデジタル衛星放送を受信するものであってもよい。また、チューナ２１、２２から出力されるＴＳの使用方法も任意であり、裏番組の録画だけでなく、ピクチャ・イン・ピクチャなどに使用することもできる。
【００２７】
〔この明細書で使用している略語の一覧〕
Ｄ／Ａ  ：Digital to Analog
ＨＤＤ  ：Hard Disk Drive
ＭＰＥＧ：Motion Picture Image Coding Experts Group
ＴＳ    ：Transport Stream
【００２８】
【発明の効果】
この発明によれば、高価なシールド部材を減らすことができるので、受信装置のコストを抑えることができる。しかも、チューナ間の相互干渉を低減できるので、性能の劣化を招くことがない。また、２つのチューナを十分に離して配置する必要がないので、受信装置のデザインを損なうこともない。さらに、チューナのプリント基板の基板金型の追加コストや追加設計の工数が発生したりすることがない。また、特性の揃った２系統のＴＳ出力を得ることができる。
【図面の簡単な説明】
【図１】この発明に使用できるチューナの一形態を示す平面図である。
【図２】この発明の一形態を示す一部を断面とする平面図である。
【図３】この発明を適用できる受信装置の一形態を示す系統図である。
【図４】この発明を説明するための平面図である。
【図５】この発明を説明するための一部を断面とする平面図である。
【符号の説明】
２１および２２…チューナ、２１Ａおよび２２Ａ…部品実装面、２１Ｂおよび２２Ｂ…接地面、４１…後面パネル、４２…プリント基板、２１０および２２０…両面プリント基板、２１１および２２１…部品、２１２および２２２…シールド部材、２１８および２２８…アンテナ入力コネクタ
【図１】
0003940901.tif 000002
【図２】
0003940901.tif 000003
【図３】
0003940901.tif 000004
【図４】
0003940901.tif 000005
【図５】
0003940901.tif 000006